(57)【要約】【課題】  アンテナの姿勢を調整して受信感度のよい最適な姿勢を検出し、電波の受信感度を向上させること。【解決手段】アンテナ３０は、その長手方向が文字盤２１と平行に支持されてＸ軸方向に沿う状態を通常状態として、傾斜量−θｍａｘ〜θｍａｘの範囲内で傾斜動作される。例えば、圧電素子５１−１を伸長変形させ、圧電素子５１−２を収縮変形させると、アンテナ３０の一端側が圧電素子５１−１に押し上げられて正のＺ軸方向に移動するとともに、アンテナ３０の他端側が圧電素子５１−２に引っ張られて負のＺ軸方向に移動し、コア軸線方向が傾く。【選択図】図３
2007166001.tif 000002
【特許請求の範囲】
【請求項１】
磁性材料から形成された棒状のコアと、
このコアに巻回された巻線と、
を備え、
前記コアが傾斜し、コア軸線方向が傾くことを特徴とするアンテナ。
【請求項２】
更に、前記コアの中心部を中心として水平方向に回動することを特徴とする請求項１に記載のアンテナ。
【請求項３】
棒状のコアと、該コアに巻回された巻線を備えたアンテナにより時刻情報を含む電波を受信する受信手段と、
この受信手段により受信された電波の受信強度を検出する受信強度検出手段と、
前記アンテナを傾斜動作させるアンテナ可動手段と、
予め定められた受信強度値を記憶する記憶手段と、
前記受信強度検出手段により検出された受信強度と、前記記憶手段に記憶された受信強度値とを比較する比較手段と、
を備え、
前記比較手段による比較の結果、前記受信強度検出手段により検出された受信強度が前記記憶手段に記憶された受信強度値より大きい場合に、前記受信手段により受信された電波から時刻情報を抽出することを特徴とするアンテナ装置。
【請求項４】
前記コアの中心部を回動中心として、前記アンテナを水平方向に回動動作させる水平方向可動手段を備えることを特徴とする請求項３に記載のアンテナ装置。
【請求項５】
棒状のコアと、該コアに巻回された巻線とを備えたアンテナにより時刻情報を含む電波を受信する受信手段と、
この受信手段により受信された電波の受信強度を検出する受信強度検出手段と、
前記アンテナを傾斜動作させるアンテナ可動手段と、
前記受信強度検出手段により検出された受信強度に、前記アンテナ可動手段により傾斜動作された前記アンテナの傾斜量を対応させて記憶する記憶手段と、
この記憶手段により記憶された受信強度のうち、最も大きい受信強度に対応する前記アンテナの傾斜量を抽出する抽出手段と、
を備え、
前記抽出手段により抽出された前記アンテナの傾斜量に基づいて前記アンテナを傾斜動作させた状態で、前記受信手段により受信された電波から時刻情報を抽出することを特徴とするアンテナ装置。
【請求項６】
前記コアの中心部を回動中心として、前記アンテナを水平方向に回動動作させる水平方向可動手段を備え、
前記記憶手段は、前記受信強度検出手段により検出された受信強度に、前記水平方向可動手段により回動動作された前記アンテナの水平方向への回動量を更に対応させて記憶し、
前記抽出手段は、前記記憶手段により記憶された受信強度のうち、最も大きい受信強度に対応する前記アンテナの傾斜量及び前記アンテナの水平方向への回動量を抽出し、
前記抽出手段により抽出された前記アンテナの傾斜量に基づき前記アンテナを傾斜動作させるとともに、前記アンテナの水平方向への回動量に基づき前記アンテナを回動動作させた状態で、前記受信手段により受信された電波から時刻情報を抽出することを特徴とする請求項５に記載のアンテナ装置。
【請求項７】
前記アンテナを構成するコアは、アモルファスから成る薄板が積層されて形成されることを特徴とする請求項３〜６の何れか一項に記載のアンテナ装置。
【発明の詳細な説明】
【技術分野】
【０００１】
本発明は、電波を受信するアンテナ及びアンテナ装置に関する。
【背景技術】
【０００２】
従来から、時刻情報すなわちタイムコード入りの長波標準電波（標準電波）を受信して計時時刻を修正する電波時計が実用化されており、腕時計や壁掛け時計等として製品化されている。
【０００３】
ところで、腕時計の電波時計にも勿論、電波を受信するアンテナが内蔵・配置されているが、電波受信時の場所や向き等によって、受信感度が大きく異なるという問題があった。この問題を解決するために為された技術として、特許文献１の技術がある。この特許文献１には、電波の基地局（送信局）の方位を検出し、検出した方位にアンテナを向けることで電波の受信感度を向上させる技術が開示されている。
【特許文献１】特開２００３−１６７０７４号公報
【発明の開示】
【発明が解決しようとする課題】
【０００４】
しかしながら特許文献１の技術は、時計本体の中心軸まわりにアンテナを回転させることにより、文字盤と平行な面内で位置を変化させるものである。したがって、アンテナを傾ける等してアンテナ自身の姿勢を調整し、受信感度のよい姿勢を検出するものではなかった。
本発明は、上記した従来の問題に鑑みて為されたものであり、アンテナの姿勢を調整して受信感度のよい最適な姿勢を検出し、電波の受信感度を向上させることを目的とする。
【課題を解決するための手段】
【０００５】
以上の課題を解決するため、請求項１に記載の発明のアンテナは、
磁性材料から形成された棒状のコア（例えば、図２のコア３１）と、
このコアに巻回された巻線（例えば、図２の巻線３３）と、
を備え、
前記コアが傾斜し、コア軸線方向が傾くことを特徴としている。
【０００６】
請求項２に記載の発明は、請求項１に記載のアンテナにおいて、
更に、前記コアの中心部を中心として水平方向に回動することを特徴としている。
【０００７】
請求項３に記載の発明のアンテナ装置は、
棒状のコア（例えば、図２のコア３１）と、該コアに巻回された巻線（例えば、図２の巻線３３）を備えたアンテナ（例えば、図２のアンテナ３０）により時刻情報を含む電波を受信する受信手段（例えば、図５の受信制御回路部１３０；図６のステップａ５０）と、
この受信手段により受信された電波の受信強度を検出する受信強度検出手段（例えば、図５の受信レベル検出回路１３８；図６のステップａ６０）と、
前記アンテナを傾斜動作させるアンテナ可動手段（例えば、図４のＣＰＵ１１０，アンテナ姿勢調整機構１２０ａ；図６のステップａ２０，ａ１４０）と、
予め定められた受信強度値を記憶する記憶手段（例えば、図４の受信規定レベル２２０）と、
前記受信強度検出手段により検出された受信強度と、前記記憶手段に記憶された受信強度値とを比較する比較手段（例えば、図４のＣＰＵ１１０；図６のステップａ６０，ａ７０）と、
を備え、
前記比較手段による比較の結果、前記受信強度検出手段により検出された受信強度が前記記憶手段に記憶された受信強度値より大きい場合に、前記受信手段により受信された電波から時刻情報を抽出する（例えば、図４のＣＰＵ１１０；図６のステップａ７０（ＹＥＳ），ａ８０）ことを特徴としている。
【０００８】
請求項４に記載の発明は、請求項３に記載のアンテナ装置において、
前記コアの中心部を回動中心として、前記アンテナを水平方向に回動動作させる水平方向可動手段（例えば、図１２のＣＰＵ１１０；図１３のステップｃ４０，図１４のステップｃ２１０）を備えることを特徴としている。
【０００９】
請求項５に記載の発明のアンテナ装置は、
棒状のコア（例えば、図２のコア３１）と、該コアに巻回された巻線（例えば、図２の巻線３３）とを備えたアンテナにより時刻情報を含む電波を受信する受信手段（例えば、図５の受信制御回路部１３０；図８のステップｂ５０）と、
この受信手段により受信された電波の受信強度を検出する受信強度検出手段（例えば、図５の受信レベル検出回路１３８；図８のステップｂ６０）と、
前記アンテナを傾斜動作させるアンテナ可動手段（例えば、図４のＣＰＵ１１０，アンテナ姿勢調整機構１２０ａ；図８のステップｂ２０，ｂ８０）と、
前記受信強度検出手段により検出された受信強度に、前記アンテナ可動手段により傾斜動作された前記アンテナの傾斜量を対応させて記憶する記憶手段（例えば、図７のサンプリングデータ；図８のステップｂ６０）と、
この記憶手段により記憶された受信強度のうち、最も大きい受信強度に対応する前記アンテナの傾斜量を抽出する抽出手段（例えば、図４のＣＰＵ１１０；図８のステップｂ９０）と、
を備え、
前記抽出手段により抽出された前記アンテナの傾斜量に基づいて前記アンテナを傾斜動作させた状態で、前記受信手段により受信された電波から時刻情報を抽出する（例えば、図４のＣＰＵ１１０，アンテナ姿勢調整機構１２０ａ；図８のステップｂ１００，ｂ１１０）ことを特徴としている。
【００１０】
請求項６に記載の発明は、請求項５に記載のアンテナ装置において、
前記コアの中心部を回動中心として、前記アンテナを水平方向に回動動作させる水平方向可動手段（例えば、図１２のＣＰＵ１１０；図１６のステップｄ４０，ｄ５０）を備え、
前記記憶手段は、前記受信強度検出手段により検出された受信強度に、前記水平方向可動手段により回動動作された前記アンテナの水平方向への回動量を更に対応させて記憶し（例えば、図１２のＣＰＵ１１０；図１６のステップｄ８０）、
前記抽出手段は、前記記憶手段により記憶された受信強度のうち、最も大きい受信強度に対応する前記アンテナの傾斜量及び前記アンテナの水平方向への回動量を抽出し（例えば、図１２のＣＰＵ１１０；図１７のステップｄ１６０）、
前記抽出手段により抽出された前記アンテナの傾斜量に基づき前記アンテナを傾斜動作させるとともに、前記アンテナの水平方向への回動量に基づき前記アンテナを回動動作させた状態で、前記受信手段により受信された電波から時刻情報を抽出する（例えば、図１２のＣＰＵ１１０；図１７のステップｄ１７０〜ｄ１９０）ことを特徴としている。
【００１１】
請求項７に記載の発明は、請求項３〜６の何れか一項に記載のアンテナ装置において、
前記アンテナを構成するコアは、アモルファスから成る薄板が積層されて形成されることを特徴としている。
【発明の効果】
【００１２】
請求項１に記載の発明によれば、アンテナのコアが傾斜し、コア軸線方向が傾くので、アンテナの姿勢を調整することが可能となる。
【００１３】
請求項２に記載の発明によれば、アンテナは、更にコアの中心部を中心として水平方向に回動するので、コアの傾斜とコアの中心部を中心とした水平方向への回動とによってアンテナの姿勢を調整することが可能となる。
【００１４】
請求項３に記載の発明によれば、アンテナを傾斜動作させてその姿勢を調整することができる。そして、受信した時刻情報を含む電波の受信強度を検出し、検出した受信強度が予め定められた受信強度値より大きい場合に、時刻情報を抽出することができる。したがって、アンテナの姿勢を調整して受信感度のよい最適な姿勢を検出することができるので、電波の受信感度を向上させることができる。
【００１５】
請求項４に記載の発明によれば、アンテナを水平方向に回動動作させることができる。したがって、アンテナの傾斜動作だけでなく、水平方向への回動動作によってその姿勢を調整することができ、電波の受信感度をより一層向上させることができる。
【００１６】
請求項５に記載の発明によれば、アンテナを傾斜動作させることでその姿勢を調整するとともに、当該傾斜動作させたアンテナにより時刻情報を含む電波を受信してその受信強度を検出することができる。そして、アンテナの傾斜量を、検出した受信強度に対応させて記憶しておくことができる。そして、記憶しておいた受信強度のうちの最も大きい受信強度に対応するアンテナの傾斜量を抽出し、抽出した傾斜量に基づいてアンテナを傾斜動作させた状態で受信した電波から、時刻情報を抽出することができる。したがって、受信感度のよい最適なアンテナの傾斜量を検出することができるので、電波の受信性能を向上させることが可能となる。
【００１７】
請求項６に記載の発明によれば、アンテナを水平方向に回動動作させることができる。そして、この回動動作させたアンテナの水平方向への回動量を、検出した受信強度に更に対応させて記憶しておくことができる。そして、記憶しておいた受信強度のうちの最も大きい受信強度に対応するアンテナの傾斜量及び水平方向への回動量を抽出し、抽出した傾斜量及び水平方向への回動量に基づいてアンテナを傾斜動作及び回動動作させた状態で受信した電波から、時刻情報を抽出することができる。したがって、受信感度のよい最適なアンテナの傾斜量及び水平方向への回動量を検出することができるので、電波の受信性能をより一層向上させることができる。
【００１８】
請求項７に記載の発明によれば、受信感度のよい磁性材料であるアモルファスによりアンテナを構成するコアを形成することができる。
【発明を実施するための最良の形態】
【００１９】
以下、図１〜図１７を参照し、本発明の好適な実施形態について詳細に説明する。尚、以下では、本発明を適用した腕時計型の電波時計（以下、単に「電波時計」という。）を例にとって説明するが、その他の電波を受信するための装置にも同様に適用できる。
【００２０】
図１（ａ）は電波時計本体の概略縦断面図、（ｂ）は電波時計本体の概略横断面図である。図１に示すように、電波時計１００ａは、例えば金属形成された時計ケース１１を備え、この時計ケース１１には、ユーザの手首に装着するための図示しないバンドが取り付けられている。
【００２１】
時計ケース１１は、環状形状をなし、時計モジュール２０を内部に収納する。この時計ケース１１の上部中央には内部の文字盤２１を視認可能なように時計ガラス１３がパッキン１５を介して嵌められており、下部中央には時計ケース１１と同様の金属で形成された裏蓋１５が取り付けられている。
【００２２】
時計ケース１１の内周面及び裏蓋１５の内面のアンテナ３０と近接する部分には、アンテナ３０による標準電波の受信感度の劣化を抑制するための磁性シート４１，４３がそれぞれ貼付等によって接着されている。磁性シート４１，４３は、樹脂シートに、アモルファスやフェライト等の磁性材料が配合されたものであり、時計ケース１１や裏蓋１５を形成する金属よりも比透磁率が高く且つ導電率が小さい磁性部材である。
【００２３】
そして、時計モジュール２０は、文字盤２１と裏蓋１５との間に配置され、標準電波を受信するアンテナ３０や、時針や分針等の指針２３を文字盤２１上で運針させるためのアナログ指針機構、アンテナ３０やアナログ指針機構を接続してこれらを制御する回路基板等を内部に収納する。尚、詳細は後述するが、アンテナ３０は、バーアンテナであり、例えば４０ｋＨｚのＪＪＹ標準電波及び６０ｋＨｚのＪＪＹ標準電波を受信可能に構成されている。
【００２４】
ここで、アンテナ３０の長手方向をＸ軸方向、文字盤２１と直交する方向をＺ軸方向、Ｘ軸方向とＺ軸方向の両方に直行する方向をＹ軸方向と定義する。また、各軸方向について、図１における矢印が指し示す方向を正の方向、その逆方向を負の方向と呼ぶ。
【００２５】
〔第１実施形態〕
先ず、第１実施形態について説明する。第１実施形態の電波時計は、アンテナ３０を傾斜動作させるためのアンテナ姿勢調整機構１２０ａ（詳細は後述する）を備える。
【００２６】
図２は、第１実施形態におけるアンテナ姿勢調整機構１２０ａの構成を説明するための図であり、（ａ）は文字盤２１を切り欠いてアンテナ３０の周辺の内部構成を示した時計ケース１１の要部横断面図、（ｂ）はアンテナ３０の周辺の内部構成を示した時計ケース１１の要部縦断面図である。ここで、アンテナ３０は、上述したようにバーアンテナであり、アモルファス等の磁性材料から成る薄板が積層されて形成された棒状のコア３１と、コア３１の周囲に巻回された銅等の巻線３３とを備えて構成される。
【００２７】
第１実施形態のアンテナ姿勢調整機構１２０ａは、コア３１の両端部の下方に配置される圧電アクチュエータ５０−１，５０−２を具備する。この圧電アクチュエータ５０−１，５０−２は、アンテナ３０やアナログ指針機構を制御する回路基板に固定されてアンテナ３０を支持する。
【００２８】
圧電アクチュエータ５０−１は、コア３１の一端に連結された圧電素子５１−１と、圧電素子５１−１の底面に設けられて圧電素子５１−１に電圧を印加する印加手段５３−１とを備え、圧電アクチュエータ５０−２は、コア３１の他端に連結された圧電素子５１−２と、圧電素子５１−２の底面に設けられて圧電素子５１−２に電圧を印加する印加手段５３−２とを備える。
【００２９】
圧電素子５１−１，５１−２は、それぞれピエゾ素子等の公知の圧電材料により円柱形状に成形され、印加手段５３−１，５３−２によって印加される電圧に応じてＺ軸方向に伸縮変形する。アンテナ姿勢調整機構１２０ａは、この圧電素子５１−１，５１−２の伸縮変形によって、アンテナ３０を傾斜動作させる。
【００３０】
ここで、図３を参照して、アンテナ３０の傾斜動作について説明する。図３（ａ）はアンテナ３０の通常状態、（ｂ）は最上位傾斜状態、（ｃ）は最下位傾斜状態をそれぞれ示す図である。図３（ａ）に示すように、アンテナ３０は、その長手方向が文字盤２１と平行に支持されてＸ軸方向に沿う状態を通常状態として、同図（ａ）中の一点鎖線で示す傾斜量−θｍａｘ〜θｍａｘの範囲内で傾斜動作される。
【００３１】
例えば、圧電素子５１−１を伸長変形させ、圧電素子５１−２を収縮変形させると、アンテナ３０の一端側が圧電素子５１−１に押し上げられて正のＺ軸方向（図３（ａ）の上方向）に移動するとともに、アンテナ３０の他端側が圧電素子５１−２に引っ張られて負のＺ軸方向（図３（ａ）の下方向）に移動し、コア軸線方向が傾く。アンテナ３０のコア軸線方向がθｍａｘ傾いたならば、図３（ｂ）に示す最上位傾斜状態となる。
【００３２】
一方、圧電素子５１−１を収縮変形させ、圧電素子５１−２を伸長変形させると、アンテナ３０の他端側が圧電素子５１−２に押し上げられて正のＺ軸方向に移動するとともに、アンテナ３０の一端側が圧電素子５１−１に引っ張られて負のＺ軸方向に移動し、アンテナ３０のコア軸線方向が傾く。そして、アンテナ３０のコア軸線方向が−θｍａｘ傾いたならば、図３（ｃ）に示す最下位傾斜状態となる。
【００３３】
このアンテナ姿勢調整機構１２０ａによれば、アンテナ３０の向きに対して磁界の向きがずれている場合であっても、アンテナ３０を傾斜動作させることで標準電波の受信感度を高めることができる。第１実施形態では、以上説明したアンテナ姿勢調整機構１２０ａによって、アンテナ３０を所定角度毎に順に傾斜動作させて標準電波を受信し、受信レベルの大きいアンテナの姿勢を検出して標準電波の復調を行い、時刻情報の抽出を行う。
【００３４】
［機能構成］
次に、第１実施形態における電波時計１００ａの機能構成について説明する。図４は、電波時計１００ａの機能構成の一例を示すブロック図である。図４に示すように、電波時計１００ａは、ＣＰＵ１１０、アンテナ姿勢調整機構１２０ａ、受信制御回路部１３０、発振回路部１４０、計時回路部１５０、入力部１６０、表示部１７０、ＲＡＭ１８０、ＲＯＭ２００ａの各機能部を備えて構成されている。
【００３５】
ＣＰＵ１１０は、所定のタイミングや入力部１６０から入力される操作信号等に応じて、ＲＯＭ２００ａに格納されたプログラムを読み出してＲＡＭ１８０内に展開し、当該プログラムに基づいた処理を実行して各機能部への指示やデータの転送等を行う。例えば、後述する同調切替回路１３１に対して受信する標準電波の周波数を切り替える切替信号を出力し、アンテナ３０の受信周波数を切り替える制御や、受信制御回路部１３０から入力されるタイムコード信号から抽出した時刻情報に基づいて時刻修正する処理等を行う。具体的には、ＣＰＵ１１０は、抽出した時刻情報に基づいて計時回路部１５０で計時されている現在時刻を修正し、修正された現在時刻を示すようにアナログ指針機構を制御して指針２３を運針させる等の処理を行う。
【００３６】
アンテナ姿勢調整機構１２０ａは、圧電アクチュエータ５０−１，５０−２、及び、印加手段５３−１，５３−２を具備し、ＣＰＵ１１０の制御に従ってアンテナ３０を所定角度毎に順に傾斜動作させてコア軸線方向を傾ける。
【００３７】
受信制御回路部１３０は、アンテナ３０で受信された標準電波の不要な周波数成分をカットして該当する周波数信号を取り出し、この周波数信号を電気信号に変換してＣＰＵ１１０に出力する。
【００３８】
図５は、受信制御回路部１３０の構成の一例を示すブロック図である。図５によれば、受信制御回路部１３０は、同調切替回路１３１と、ＡＧＣアンプ１３２と、フィルタ回路１３３と、ポストアンプ１３４と、検波整流回路１３５と、波形整形回路１３６と、ＡＧＣ電圧制御回路１３７と、受信レベル検出回路１３８とを備えて構成されている。
【００３９】
同調切替回路１３１は、例えば、ＪＪＹ標準電波を受信する場合に、ＣＰＵ１１０から入力される切替信号に従って、アンテナ３０の受信周波数を４０ｋＨｚ又は６０ｋＨｚに切り替える。
ＡＧＣアンプ１３２は、同調切替回路１３１から入力される電波信号（受信信号）を、ＡＧＣ電圧制御回路１３７から入力される制御信号に応じて増幅或いは減衰して出力する。
フィルタ回路１３３は、通過帯域が極めて狭いＢＰＦであり、例えば水晶フィルタにより構成される。このフィルタ回路１３３は、ＡＧＣアンプ１３２から入力される信号に対して所定の周波数範囲の信号を通過させ、範囲外の周波数成分を遮断して出力する。
ポストアンプ１３４は、フィルタ回路１３３から入力される信号を、所定の信号レベルまで増幅して出力する。
検波整流回路１３５は、ポストアンプ１３４から入力される信号を検波して出力する。
波形整形回路１３６は、検波整流回路１３５から入力される検波信号を波形整形して出力する。この波形整形回路１３６により波形整形されて出力されたタイムコード信号（ＴＣＯ）はＣＰＵ１１０に入力される。
ＡＧＣ電圧制御回路１３７は、検波整流回路１３５から入力される検波信号の信号レベルに応じて、ＡＧＣアンプ１３２の増幅度を調整する制御信号を出力する。
【００４０】
受信レベル検出回路１３８は、検波整流回路１３５から入力される検波信号の信号レベルの大きさをもとに、アンテナ３０が受信した標準電波の受信強度を検出し、検出した受信強度を受信レベルとして出力する。この受信レベル検出回路１３８から出力された受信レベルは、ＣＰＵ１１０に入力される。
【００４１】
図４に戻る。発振回路部１４０は、水晶発振器を備え、常時一定周波数のクロック信号を出力する。
計時回路部１５０は、発振回路部１４０から入力されるクロック信号を計数して現在時刻を計時し、現在時刻データをＣＰＵ１１０に出力する。
【００４２】
入力部１６０は、ユーザが各種操作を入力するための操作スイッチ等で構成され、この操作スイッチ等による入力に応じた操作信号をＣＰＵ１１０に出力する。
【００４３】
表示部１７０は、文字盤や、ＣＰＵ１１０により制御されるアナログ指針機構等を含み、計時回路部１５０により計時される現在時刻を表示する。
【００４４】
ＲＡＭ１８０は、ＣＰＵ１１０により実行される各種プログラムや、これらのプログラムの実行に係るデータ等を一時的に保持するためのメモリ領域を備え、ＣＰＵ１１０の作業領域として用いられる。特に、第１実施形態を実現するため、受信時刻を保持する受信時刻格納領域１８１を備える。この受信時刻格納領域１８１には、初期値として予め定められた受信時刻（例えば午前０時）が設定される。
【００４５】
ＲＯＭ２００ａには、各種初期設定値や初期化プログラムの他、電波時計１００ａの備える種々の機能を実現するためのプログラムやデータ等が格納される。特に、第１実施形態を実現するため、第１時刻修正プログラム２１１及びタイムコード変換プログラム２１３を含む制御プログラム２１０ａと、受信規定レベル２２０とが格納される。
【００４６】
第１時刻修正プログラム２１１は、例えば現在時刻が受信時刻となった場合にアンテナ３０及び受信制御回路部１３０を制御して標準電波の受信を行わせ、受信制御回路部１３０から入力されるタイムコード信号に基づいて計時回路部１５０で計時されている現在時刻を修正するためのプログラムであり、ＣＰＵ１１０は、この第１時刻修正プログラム２１１に従って第１時刻修正処理を実行する。
【００４７】
この第１時刻修正処理において、ＣＰＵ１１０は、アンテナ姿勢調整機構１２０ａを制御し、アンテナ３０を所定角度毎に順に傾斜動作させてコア軸線方向を傾けるための制御を行う。具体的には、例えば、アンテナ３０の傾斜量（θ）と圧電素子５１−１，５１−２にそれぞれ印加する電圧との対応関係を予め定義しておく。そして、ＣＰＵ１１０は、前述の対応関係に従って印加手段５３−１，５３−２による印加電圧を制御し、アンテナ３０のコア軸線方向を傾ける。
【００４８】
そして、ＣＰＵ１１０は、受信レベル検出回路１３８から入力される受信レベルが受信規定レベル２２０以上の場合に、標準電波を復調して時刻情報を抽出するための処理を行う。
【００４９】
タイムコード変換プログラム２１３は、受信した標準電波を復調してタイムコード信号に波形整形させるためのプログラムであり、ＣＰＵ１１０は、このタイムコード変換プログラム２１３に従って受信制御回路部１３０を制御し、タイムコード変換処理を実行する。
【００５０】
受信規定レベル２２０は、受信した標準電波を復調して時刻情報を抽出するための処理を開始するか否かを決定する際の基準となる受信レベルであり、予め設定される。
【００５１】
［処理の流れ］
次に、第１時刻修正処理の流れについて説明する。図６は、第１時刻修正処理の流れを説明するためのフローチャートである。尚、ここで説明する処理は、ＣＰＵ１１０が第１時刻修正プログラム２１１を読み出して実行することにより実現される。
【００５２】
第１時刻修正処理では、ＣＰＵ１１０は、先ず受信時刻格納領域１８１を参照して受信時刻か否かを判定する。現在時刻が予め受信時刻格納領域１８１に設定されている受信時刻となった場合には（ステップａ１０：ＹＥＳ）、ＣＰＵ１１０は、アンテナ姿勢調整機構１２０ａを制御し、アンテナ３０のコア軸線方向をθｍａｘ傾けるための制御を開始する（ステップａ２０）。そして、ＣＰＵ１１０は、アンテナ３０が最上位傾斜状態まで傾斜したならば（ステップａ３０：ＹＥＳ）、ユーザ操作に従って標準電波の送信局を選択し（ステップａ４０）、選択した送信局に基づいて受信制御回路部１３０を制御して、標準電波の受信を開始する（ステップａ５０）。
【００５３】
続いてＣＰＵ１１０は、受信レベル検出回路１３８から入力される受信レベルを判定する（ステップａ６０）。具体的には、ＣＰＵ１１０は、入力される受信レベルを受信規定レベル２２０と比較し、受信レベルが受信規定レベル２２０以上ならば（ステップａ７０：ＹＥＳ）、タイムコード変換プログラム２１３を読み出してタイムコード変換処理を実行し、受信した標準電波を復調して時刻情報を抽出するための処理を開始する（ステップａ８０）。
【００５４】
そして、ＣＰＵ１１０は、時刻情報の抽出処理結果をもとに標準電波の受信の成否を判定し、受信成功ならば（ステップａ９０：ＹＥＳ）、標準電波の受信を停止する（ステップａ１００）。そして、ＣＰＵ１１０は、抽出した時刻情報に従って現在時刻を修正し（ステップａ１１０）、第１時刻修正処理を終了する。
【００５５】
一方、受信レベル検出回路１３８から入力される受信レベルを受信規定レベル２２０と比較した結果、受信規定レベル２２０未満と判定した場合（ステップａ７０：ＮＯ）、或いは標準電波の受信の成否を判定した結果、受信失敗と判定した場合には（ステップａ９０：ＮＯ）、ステップａ１３０に移行する。
【００５６】
すなわち、ＣＰＵ１１０は、アンテナ３０が最下位傾斜状態となっているか否かを判定する。最下位傾斜状態でないならば（ステップａ１３０：ＮＯ）、ＣＰＵ１１０は、アンテナ姿勢調整機構１２０ａを制御して、アンテナ３０のコア軸線方向を、最下位傾斜状態となる方向に所定角度傾けるための制御を行い（ステップａ１４０）、ステップａ１０に戻って上記した処理を実行する。
【００５７】
またＣＰＵ１１０は、アンテナ３０のコア軸線方向が既に−θｍａｘ傾けられ、最下位傾斜状態となっている場合には（ステップａ１３０：ＹＥＳ）、標準電波の受信を停止する（ステップａ１５０）。そして、ＣＰＵ１１０は、受信時刻を現在時刻の１時間後の時刻に変更して受信時刻格納領域１８１を更新し（ステップａ１６０）、ステップａ１０に戻って受信時刻まで待機状態となる。
【００５８】
以上説明したように、第１実施形態によれば、アンテナ３０を傾斜動作させることができる。そして、アンテナ３０により受信した標準電波の受信レベルを検出し、受信レベルが予め定められた受信規定レベル２２０以上の場合に、受信した標準電波を復調して時刻情報を抽出し、抽出した時刻情報に従って現在時刻を修正することができる。したがって、アンテナの姿勢を調整して受信感度のよい最適な姿勢を検出することができるので、標準電波の受信感度を向上させることができる。
【００５９】
尚、上記した第１実施形態では、アンテナ３０を所定角度毎に傾斜動作させながら受信レベルが受信規定レベル２２０以上となるアンテナ３０の姿勢を検出し、時刻修正を行うこととしたが、以下のようにしてもよい。
【００６０】
すなわち、時刻修正の前処理としてアンテナ３０を所定角度毎に順に傾斜動作させ、標準電波の受信レベルを検出してサンプリングデータを生成し、ＲＡＭ１８０内に記憶しておく。図７は、本変形例におけるサンプリングデータのデータ構成例を示す図である。このサンプリングデータは、受信レベルを傾斜量（θ）と対応させたデータテーブルであり、ＣＰＵ１１０は、受信レベル検出回路１３８から入力される受信レベルを、現時点でのアンテナ３０の傾斜量（θ）と対応させ、サンプリングデータとしてＲＡＭ１８０内に格納する。
【００６１】
そして、生成したサンプリングデータを参照し、受信レベルが最も大きいアンテナ３０の傾斜量（θ）に従ってアンテナ３０を傾斜動作させ、その状態で受信した標準電波を復調し、時刻情報を抽出して現在時刻を修正することとしてもよい。
【００６２】
この場合には、ＣＰＵ１１０は、第１時刻修正処理に換えて、以下説明する第２時刻処理を実行する。図８は、第２時刻修正処理の流れを説明するためのフローチャートである。
【００６３】
第２時刻修正処理では、ＣＰＵ１１０は、受信時刻格納領域１８１を参照して受信時刻か否かを判定する。そして、ＣＰＵ１１０は、現在時刻が予め受信時刻格納領域１８１に設定されている受信時刻となった場合には（ステップｂ１０：ＹＥＳ）、アンテナ姿勢調整機構１２０ａを制御し、アンテナ３０のコア軸線方向をθｍａｘ傾けるための制御を開始する（ステップｂ２０）。そして、ＣＰＵ１１０は、アンテナ３０が最上位傾斜状態まで傾斜したならば（ステップｂ３０：ＹＥＳ）、ユーザ操作に従って標準電波の送信局を選択し（ステップｂ４０）、選択した送信局に基づいて受信制御回路部１３０を制御して、標準電波の受信を開始する（ステップｂ５０）。
【００６４】
次に、ＣＰＵ１１０は、受信レベル検出回路１３８から入力される受信レベルを、現時点でのアンテナ３０の傾斜量（θ）と対応させて前述のサンプリングデータとしてＲＡＭ１８０内に格納する（ステップｂ６０）。
【００６５】
続いてＣＰＵ１１０は、アンテナ３０が最下位傾斜状態となっているか否かを判定する。最下位傾斜状態でないならば（ステップｂ７０：ＮＯ）、ＣＰＵ１１０は、アンテナ姿勢調整機構１２０ａを制御して、アンテナ３０のコア軸線方向を、最下位傾斜状態となる方向に所定角度傾けるための制御を行い（ステップｂ８０）、ステップｂ６０に戻って上記した処理を実行する。
【００６６】
一方、ＣＰＵ１１０は、アンテナ３０のコア軸線方向が既に−θｍａｘ傾けられ、最下位傾斜状態となっている場合には（ステップｂ７０：ＹＥＳ）、生成したサンプリングデータに基づいて、最も大きい受信レベルに対応する傾斜量（θ）を抽出する（ステップｂ９０）。次いでＣＰＵ１１０は、アンテナ姿勢調整機構１２０ａを制御し、抽出した傾斜量（θ）に従ってアンテナ３０のコア軸線方向を傾けるための制御を行う（ステップｂ１００）。
【００６７】
そして、ＣＰＵ１１０は、タイムコード変換プログラム２１３を読み出してタイムコード変換処理を実行し、受信した標準電波を復調して時刻情報を抽出するための処理を開始する（ステップｂ１１０）。
【００６８】
そして、ＣＰＵ１１０は、時刻情報の抽出処理結果をもとに標準電波の受信の成否を判定し、受信成功ならば（ステップｂ１２０：ＹＥＳ）、標準電波の受信を停止する（ステップｂ１３０）。そして、ＣＰＵ１１０は、抽出した時刻情報に従って現在時刻を修正し（ステップｂ１４０）、第２時刻修正処理を終了する。
【００６９】
一方、ＣＰＵ１１０は、受信失敗と判定した場合には（ステップｂ１２０：ＮＯ）、標準電波の受信を停止する（ステップｂ１６０）。そして、ＣＰＵ１１０は、受信時刻を現在時刻の１時間後の時刻に変更して受信時刻格納領域１８１を更新し（ステップｂ１７０）、ステップｂ１０に戻って受信時刻まで待機状態となる。
【００７０】
本変形例によれば、時刻修正の前処理として、アンテナ３０を傾斜動作させることでその姿勢を調整するとともに、この傾斜動作させたアンテナ３０により受信した標準電波の受信レベルを検出し、サンプリングデータを生成することができる。そして、生成したサンプリングデータを参照し、受信レベルが最も大きい傾斜量（θ）に従ってアンテナ３０を傾斜動作させた状態で受信した標準電波を復調し、時刻情報を抽出して現在時刻を修正することができる。したがって、受信感度のよい最適なアンテナ３０の傾斜量（θ）を前もって検出し、検出した傾斜量（θ）に従ってアンテナ３０のコア軸線方向を傾けた上で標準電波を復調して時刻情報を抽出することができ、標準電波の受信性能を向上させることが可能となる。
【００７１】
〔第２実施形態〕
次に、第２実施形態について説明する。尚、以下では、第１実施形態と同様の部分については、同一の符号を付して説明は省略する。第２実施形態の電波時計は、アンテナ３０を傾斜動作させるとともに、水平方向に回動動作させるためのアンテナ姿勢調整機構１２０ｂ（詳細は後述する）を備える。
【００７２】
図９は、第２実施形態におけるアンテナ姿勢調整機構１２０ｂの構成を説明するための図であり、（ａ）は文字盤２１を切り欠いてアンテナ３０の周辺の内部構成を示した時計ケース１１の要部横断面図、（ｂ）はアンテナ３０の周辺の内部構成を示した時計ケース１１の要部縦断面図である。
【００７３】
第２実施形態のアンテナ３０は、アモルファス等の磁性材料から成る薄板が積層されて形成された棒状のコア３１と、コア３１の周囲に巻回された銅等の巻線３３とを備え、コア３１と一体成形された軸３５を介して傾斜可能に枠体３７に取り付けられて、軸３５のまわりに軸回転可能に支持される。枠体３７は、軸３９を介して文字盤２１とアンテナ３０やアナログ指針機構を制御する回路基板との間に配置され、軸３９のまわりに軸回転可能に支持される。
【００７４】
そして、第２実施形態のアンテナ姿勢調整機構１２０ｂは、コア３１の両端部の下方に配置される圧電アクチュエータ６０−１，６０−２と、コア３１の両端部の側方に配置される圧電アクチュエータ６０−３，６０−４とを具備する。例えば、圧電アクチュエータ６０−１，６０−２は、回路基板に固定され、圧電アクチュエータ６０−３，６０−４は、時計モジュール内部の側壁に固定される。
【００７５】
圧電アクチュエータ６０−１〜６０−４は、それぞれコア３１の端部に当接する圧電素子６１−１〜６１−４と、各圧電素子６１−１〜６１−４にそれぞれ電圧を印加する印加手段６３−１〜６３−４とを備える。
【００７６】
そして、圧電素子６１−１，６１−２は、第１実施形態と同様に、印加手段６３−１，６３−２によって印加される電圧に応じてＺ軸方向に伸縮変形する。アンテナ姿勢調整機構１２０ｂは、この圧電素子６１−１，６１−２の伸縮変形によって、アンテナ３０を傾斜動作させる。一方圧電素子６１−３，６１−４は、印加手段６３−３，６３−４によって印加される電圧に応じてＹ軸方向に伸縮変形する。アンテナ姿勢調整機構１２０ｂは、この圧電素子６１−３，６１−４の伸縮変形によって、アンテナ３０を回動動作させる。
【００７７】
先ず、図１０を参照して、アンテナ３０の傾斜動作について説明する。図１０（ａ）はアンテナ３０の通常状態、（ｂ）は最上位傾斜状態、（ｃ）は最下位傾斜状態をそれぞれ示す図である。図１０（ａ）に示すように、アンテナ３０は、その長手方向が文字盤２１と平行に支持されてＸ軸方向に沿う状態を通常状態として、第１実施形態と同様に同図（ａ）中の一点鎖線で示す傾斜量−θｍａｘ〜θｍａｘの範囲内で傾斜動作される。
【００７８】
すなわち、圧電素子６１−１を伸長変形させ、圧電素子６１−２を収縮変形させるとコア軸線方向が傾き、アンテナ３０のコア軸線方向がθｍａｘ傾けられたならば、図１０（ｂ）に示す最上位傾斜状態となる。一方、圧電素子６１−１を収縮変形させ、圧電素子６１−２を伸長変形させるとコア軸線方向が傾き、アンテナ３０のコア軸線方向が−θｍａｘ傾けられたならば、図１０（ｃ）に示す最下位傾斜状態となる。
【００７９】
次に、図１１を参照して、アンテナ３０の回動動作について説明する。図１１（ａ）はアンテナ３０の通常状態、（ｂ）は最左回動状態、（ｃ）は最右回動状態をそれぞれ示す図である。図１１（ａ）に示すように、アンテナ３０は、アンテナ３０の長手方向が３９軸方向に沿った状態を通常状態として、同図（ａ）中の一点鎖線で示す回動量−δｍａｘ〜δｍａｘの範囲内で軸３９を中心として回動動作される。
【００８０】
例えば、圧電素子６１−３を収縮変形させ、圧電素子６１−４を伸長変形させると、アンテナ３０の他端側が圧電素子６１−４の伸長変形に伴って負のＹ軸方向（図１１の下方向）に移動するとともに、アンテナ３０の一端側が圧電素子６１−３の収縮変形に伴って正のＹ軸方向（図１１の上方向）に移動し、軸３９を中心として図１１の反時計周り方向に回動する。アンテナ３０がδｍａｘ回動したならば、図１１（ｂ）に示す最左回動状態となる。
【００８１】
一方、圧電素子６１−３を伸長変形させ、圧電素子６１−４を収縮変形させると、アンテナ３０の一端側が圧電素子６１−３の伸長変形に伴って負のＹ軸方向に移動するとともに、アンテナ３０の他端側が圧電素子６１−４の収縮変形に伴って正のＹ軸方向に移動し、軸３９を中心として図１１の時計周り方向に回動する。アンテナ３０が−δｍａｘ回動したならば、図１１（ｃ）に示す最右回動状態となる。
【００８２】
このアンテナ姿勢調整機構１２０ｂによれば、アンテナ３０の向きに対して磁界の向きがずれている場合であっても、アンテナ３０を傾斜動作及び回動動作させることで標準電波の受信感度を高めることができる。第２実施形態では、以上説明したアンテナ姿勢調整機構１２０ｂによって、アンテナ３０を所定角度毎に順に傾斜動作させるとともに所定角度毎に順に回動動作させて標準電波を受信し、受信レベルの大きいアンテナの姿勢を検出して標準電波の復調を行い、時刻情報の抽出を行う。
【００８３】
［機能構成］
図１２は、第２実施形態における電波時計１００ｂの機能構成の一例を示すブロック図である。第２実施形態では、電波時計１００ｂは、ＣＰＵ１１０、アンテナ姿勢調整機構１２０ｂ、受信制御回路部１３０、発振回路部１４０、計時回路部１５０、入力部１６０、表示部１７０、ＲＡＭ１８０、ＲＯＭ２００ｂの各機能部を備えて構成されている。
【００８４】
第２実施形態では、アンテナ姿勢調整機構１２０ｂは、図９に示した圧電アクチュエータ６０−１〜６０−４、及び、印加手段６３−１〜６３−４を具備し、ＣＰＵ１１０の制御に従ってアンテナ３０を所定角度毎に順に傾斜動作させてコア軸線方向を傾けるとともに、アンテナ３０を所定角度毎に順に回動動作させて水平方向に回動させる。
【００８５】
また、電波時計１００ｂのＲＯＭ２００ｂには、第２実施形態を実現するため、第３時刻修正プログラム２１２及びタイムコード変換プログラム２１３を含む制御プログラム２１０ｂと、受信規定レベル２２０とが格納される。
【００８６】
第３時刻修正プログラム２１２は、第１実施形態と同様に、例えば現在時刻が受信時刻となった場合にアンテナ３０及び受信制御回路部１３０を制御して標準電波の受信を行わせ、受信制御回路部１３０から入力されるタイムコード信号に基づいて計時回路部１５０で計時されている現在時刻を修正するためのプログラムであり、ＣＰＵ１１０は、この第３時刻修正プログラム２１２に従って第３時刻修正処理を実行する。
【００８７】
この第３時刻修正処理において、ＣＰＵ１１０は、アンテナ姿勢調整機構１２０ｂを制御し、アンテナ３０を所定角度毎に順に傾斜動作させてコア軸線方向を傾けるための制御を行うとともに、アンテナ３０を所定角度毎に順に回動動作させて水平方向に回動させるための制御を行う。具体的には、例えば、アンテナ３０の傾斜量（θ）と圧電素子６１−１，６１−２にそれぞれ印加する電圧との対応関係、及びアンテナ３０の回動量（δ）と圧電素子６１−３，６１−４にそれぞれ印加する電圧との対応関係を予め定義しておく。そして、ＣＰＵ１１０は、前述の対応関係に従って印加手段６３−１，６３−２による印加電圧を制御してアンテナ３０のコア軸線方向を傾けるとともに、印加手段６３−３，６３−４による印加電圧を制御してアンテナ３０を水平方向に回動させる。
【００８８】
そして、ＣＰＵ１１０は、受信レベル検出回路１３８から入力される受信レベルが受信規定レベル２２０以上の場合に、標準電波を復調して時刻情報を抽出するための処理を行う。
【００８９】
［処理の流れ］
次に、第３時刻修正処理の流れについて説明する。図１３は、第３時刻修正処理の流れを説明するためのフローチャートである。尚、ここで説明する処理は、ＣＰＵ１１０が第３時刻修正プログラム２１２を読み出して実行することにより実現される。
【００９０】
この第３時刻修正処理では、ＣＰＵ１１０は、先ず受信時刻格納領域１８１を参照して受信時刻か否かを判定する。ＣＰＵ１１０は、現在時刻が予め受信時刻格納領域１８１に設定されている受信時刻となった場合には（ステップｃ１０：ＹＥＳ）、アンテナ姿勢調整機構１２０ｂを制御し、アンテナ３０のコア軸線方向をθｍａｘ傾けるための制御を開始する（ステップｃ２０）。そして、ＣＰＵ１１０は、アンテナ３０が最上位傾斜状態まで傾斜したならば（ステップｃ３０：ＹＥＳ）、続いて、アンテナ３０を水平方向にδｍａｘ回動させるための制御を開始する（ステップｃ４０）。そして、ＣＰＵ１１０は、アンテナ３０が最左回動状態まで回動したならば（ステップｃ５０：ＹＥＳ）、ユーザ操作に従って標準電波の送信局を選択し（ステップｃ６０）、選択した送信局に基づいて受信制御回路部１３０を制御して、標準電波の受信を開始する（ステップｃ７０）。
【００９１】
続いてＣＰＵ１１０は、受信レベル検出回路１３８から入力される受信レベルを判定し（ステップｃ８０）、受信レベルが受信規定レベル２２０以上ならば（ステップｃ９０：ＹＥＳ）、タイムコード変換プログラム２１３を読み出してタイムコード変換処理を実行し、受信した標準電波を復調して時刻情報を抽出するための処理を開始する（ステップｃ１００）。
【００９２】
そして、ＣＰＵ１１０は、時刻情報の抽出処理結果をもとに標準電波の受信の成否を判定し、受信成功ならば（ステップｃ１１０：ＹＥＳ）、標準電波の受信を停止する（ステップｃ１２０）。そして、ＣＰＵ１１０は、抽出した時刻情報に従って現在時刻を修正し（ステップｃ１３０）、第３時刻修正処理を終了する。
【００９３】
一方、受信レベル検出回路１３８から入力される受信レベルが受信規定レベル２２０未満の場合（ステップｃ９０：ＮＯ）、或いは標準電波の受信を失敗した場合には（ステップｃ１１０：ＮＯ）、ＣＰＵ１１０は、アンテナ３０が最下位傾斜状態となっているか否かを判定する。最下位傾斜状態でないならば（ステップｃ１５０：ＮＯ）、ＣＰＵ１１０は、アンテナ姿勢調整機構１２０ｂを制御して、アンテナ３０のコア軸線方向を、最下位傾斜状態となる方向に所定角度傾けるための制御を行い（ステップｃ１６０）、ステップｃ８０に戻って上記した処理を実行する。
【００９４】
またＣＰＵ１１０は、アンテナ３０のコア軸線方向が既に−θｍａｘ傾けられ、最下位傾斜状態となっている場合には（ステップｃ１５０：ＹＥＳ）、標準電波の受信を停止し（ステップｃ１７０）、図１４のステップｃ１８０に移行する。
【００９５】
すなわち、図１４に示すように、ＣＰＵ１１０は、アンテナ姿勢調整機構１２０ｂを制御し、アンテナ３０のコア軸線方向をθｍａｘ傾けるための制御を開始する（ステップｃ１８０）。そして、ＣＰＵ１１０は、アンテナ３０が最上位傾斜状態まで傾斜したならば（ステップｃ１９０）、続いて、アンテナ３０が最右回動状態となっているか否かを判定する。最右回動状態でないならば（ステップｃ２００：ＮＯ）、ＣＰＵ１１０は、アンテナ姿勢調整機構１２０ｂを制御し、アンテナ３０を最右回動状態となる方向に所定角度回動させるための制御を行い（ステップｃ２１０）、図１３のステップｃ７０に戻って上記した処理を実行する。
【００９６】
またＣＰＵ１１０は、アンテナ３０が既に水平方向に−δｍａｘ回動され、最右回動状態となっている場合には（ステップｃ２００：ＹＥＳ）、受信時刻を現在時刻の１時間後の時刻に変更して受信時刻格納領域１８１を更新し（ステップｃ２２０）、ステップｃ１０に戻って受信時刻まで待機状態となる。
【００９７】
以上説明したように、第２実施形態によれば、アンテナ３０を傾斜動作させるとともに、水平方向に回動動作させることができる。そして、アンテナ３０により受信した標準電波の受信レベルを検出し、受信レベルが予め定められた受信規定レベル２２０以上の場合に、受信した標準電波を復調して時刻情報を抽出し、抽出した時刻情報に従って現在時刻を修正することができる。したがって、アンテナ３０を傾斜動作させるとともに水平方向へ回動動作させてその姿勢を調整し、受信感度のよい最適な姿勢を検出することができるので、標準電波の受信感度をより一層向上させることができる。
【００９８】
尚、上記した第２実施形態では、アンテナ３０を所定角度毎に傾斜動作及び回動動作させながら受信レベルが受信規定レベル２２０以上となるアンテナ３０の姿勢を検出し、時刻修正を行うこととしたが、以下のようにしてもよい。
【００９９】
すなわち、時刻修正の前処理としてアンテナ３０を所定角度毎に順に傾斜動作させるとともに所定角度毎に順に回動動作させ、標準電波の受信レベルを検出してサンプリングデータを生成し、ＲＡＭ１８０内に記憶しておく。図１５は、本変形例におけるサンプリングデータのデータ構成例を示す図である。このサンプリングデータは、受信レベルを、傾斜量（θ）及び回動量（δ）と対応させたデータテーブルであり、ＣＰＵ１１０は、受信レベル検出回路１３８から入力される受信レベルを、現時点でのアンテナ３０の傾斜量（θ）及び回動量（δ）と対応させ、サンプリングデータとしてＲＡＭ１８０内に格納する。
【０１００】
そして、生成したサンプリングデータを参照し、受信レベルが最も大きいアンテナ３０の傾斜量（θ）及び回動量（δ）に基づいてアンテナ３０を傾斜動作及び回動動作させた状態で受信した標準電波を復調し、時刻情報を抽出して現在時刻を修正することとしてもよい。
【０１０１】
この場合には、ＣＰＵ１１０は、第３時刻修正処理に換えて、以下説明する第４時刻処理を実行する。図１６は、第４時刻修正処理の流れを説明するためのフローチャートである。
【０１０２】
第４時刻修正処理では、ＣＰＵ１１０は、受信時刻格納領域１８１を参照して受信時刻か否かを判定する。そして、ＣＰＵ１１０は、現在時刻が予め受信時刻格納領域１８１に設定されている受信時刻となった場合には（ステップｄ１０：ＹＥＳ）、アンテナ姿勢調整機構１２０ｂを制御し、アンテナ３０のコア軸線方向をθｍａｘ傾けるための制御を開始する（ステップｄ２０）。そして、ＣＰＵ１１０は、アンテナ３０が最上位傾斜状態まで傾斜したならば（ステップｄ３０：ＹＥＳ）、続いて、アンテナ３０を水平方向にδｍａｘ回動させるための制御を開始する（ステップｄ４０）。そして、ＣＰＵ１１０は、アンテナ３０が最左回動状態まで回動したならば（ステップｄ５０：ＹＥＳ）、ユーザ操作に従って標準電波の送信局を選択し（ステップｄ６０）、選択した送信局に基づいて受信制御回路部１３０を制御して、標準電波の受信を開始する（ステップｄ７０）。
【０１０３】
次に、ＣＰＵ１１０は、受信レベル検出回路１３８から入力される受信レベルを、現時点でのアンテナ３０の傾斜量（θ）及び回動量（δ）と対応させて前述のサンプリングデータとしてＲＡＭ１８０内に格納する（ステップｄ８０）。
【０１０４】
続いてＣＰＵ１１０は、アンテナ３０が最下位傾斜状態となっているか否かを判定する。最下位傾斜状態でないならば（ステップｄ９０：ＮＯ）、ＣＰＵ１１０は、アンテナ姿勢調整機構１２０ｂを制御して、アンテナ３０のコア軸線方向を、最下位傾斜状態となる方向に所定角度傾けるための制御を行い（ステップｄ１００）、ステップｄ８０に戻って上記した処理を実行する。
【０１０５】
一方、ＣＰＵ１１０は、アンテナ３０のコア軸線方向が既に−θｍａｘ傾けられ、最下位傾斜状態となっている場合には（ステップｄ９０：ＹＥＳ）、標準電波の受信を停止し（ステップｄ１１０）、図１７のステップｄ１２０に移行する。
【０１０６】
すなわち、図１７に示すように、ＣＰＵ１１０は、アンテナ姿勢調整機構１２０ｂを制御し、アンテナ３０のコア軸線方向をθｍａｘ傾けるための制御を開始する（ステップｄ１２０）。そして、ＣＰＵ１１０は、アンテナ３０が最上位傾斜状態まで傾斜したならば（ステップｄ１３０：ＹＥＳ）、続いて、アンテナ３０が最右回動状態となっているか否かを判定する。最右回動状態でないならば（ステップｄ１４０：ＮＯ）、ＣＰＵ１１０は、アンテナ姿勢調整機構１２０ｂを制御し、アンテナ３０を最右回動状態となる方向に所定角度回動させるための制御を行い（ステップｄ１５０）、図１６のステップｄ７０に戻って上記した処理を実行する。
【０１０７】
またＣＰＵ１１０は、アンテナ３０が既に水平方向に−δｍａｘ回動され、最右回動状態となっている場合には（ステップｄ１４０：ＹＥＳ）、生成したサンプリングデータに基づいて、最も大きい受信レベルに対応する傾斜量（θ）及び回動量（δ）を抽出する（ステップｄ１６０）。そして、ＣＰＵ１１０は、アンテナ姿勢調整機構１２０ｂを制御し、抽出した傾斜量（θ）に従ってアンテナ３０のコア軸線方向を傾けるための制御を行うとともに（ステップｄ１７０）、抽出した回動量（δ）に従ってアンテナ３０を水平方向に回動させるための制御を行う（ステップｄ１８０）。
【０１０８】
続いてＣＰＵ１１０は、タイムコード変換プログラム２１３を読み出してタイムコード変換処理を実行し、受信した標準電波を復調して時刻情報を抽出するための処理を開始する（ステップｄ１９０）。そして、ＣＰＵ１１０は、時刻情報の抽出処理結果をもとに標準電波の受信の成否を判定し、受信成功ならば（ステップｄ２００：ＹＥＳ）、標準電波の受信を停止する（ステップｄ２１０）。そして、ＣＰＵ１１０は、抽出した時刻情報に従って現在時刻を修正し（ステップｄ２２０）、第４時刻修正処理を終了する。
【０１０９】
一方、ＣＰＵ１１０は、受信失敗と判定した場合には（ステップｄ２００：ＮＯ）、標準電波の受信を停止する（ステップｄ２４０）。そして、ＣＰＵ１１０は、受信時刻を現在時刻の１時間後の時刻に変更して受信時刻格納領域１８１を更新し（ステップｄ２５０）、ステップｄ１０に戻って受信時刻まで待機状態となる。
【０１１０】
本変形例によれば、時刻修正の前処理として、アンテナ３０を傾斜動作及び回動動作させることでその姿勢を調整するとともに、この傾斜動作及び回動動作させたアンテナ３０により受信した標準電波の受信レベルを検出し、サンプリングデータを生成することができる。そして、生成したサンプリングデータを参照し、受信レベルが最も大きいアンテナ３０の傾斜量（θ）及び回動量（δ）に従ってアンテナ３０を傾斜動作及び回動動作させた状態で受信した標準電波を復調し、時刻情報を抽出して現在時刻を修正することができる。したがって、受信感度のよい最適なアンテナ３０の傾斜量（θ）及び回動量（δ）を前もって検出し、検出した傾斜量（θ）に従ってアンテナ３０のコア軸線方向を傾け、回動量（δ）に従ってアンテナ３０を水平方向に回動させた上で標準電波を復調して時刻情報を抽出することができるので、標準電波の受信性能をより一層向上させることが可能となる。
【０１１１】
［変形例］
以上、本発明についての好適な実施形態について説明したが、本発明は、上記したものに限らず、発明の趣旨を逸脱しない限りにおいて適宜変更可能である。
【０１１２】
例えば、アンテナ７０の両端部を弾性変形可能に形成することにより、狭いスペースであってもその姿勢の調整を実現することができる。
【０１１３】
図１８及び図１９は、この場合のアンテナの傾斜動作を説明するための図である。図１８は、電波時計本体の概略断面図であり、（ａ）はアンテナ７０の通常状態、（ｂ）は最下位傾斜状態、（ｃ）は最上位傾斜状態をそれぞれ示す図である。
【０１１４】
図１８に示すように、アンテナ７０を、磁性材料から成り、可撓性を有する薄板が積層されて形成された棒状のコア７１と、コア７１の周囲に巻回された銅等の巻線７３とを備え、スペーサ７５によってコア７１の両端部をその厚さ方向の両側に広げた構成とする。この構成によれば、コア７１の両端部を開口するので、受信感度が向上する。そして、この開口されたコア７１の両端部を弾性変形可能に形成する。
【０１１５】
そして、アンテナ７０を傾斜動作させ、コア軸線方向を最下位傾斜状態となる方向に傾ける際には、図１８（ｂ）に示すように、コア７１の図１８（ｂ）の左上端部Ｐ３が文字盤２１に接触して折り曲げられるとともに、右下端部Ｐ２がアンテナ７０下方の時計モジュールの下面等に接触して折り曲げられる。
【０１１６】
一方、アンテナ７０を傾斜動作させ、コア軸線方向を最上位傾斜状態となる方向に傾ける際には、図１８（ｃ）に示すように、コア７１の図１８（ｃ）の右上端部Ｐ１が文字盤２１に接触して折り曲げられるとともに、左下端部Ｐ４がアンテナ７０下方の時計モジュールの下面等に接触して折り曲げられる。
【０１１７】
また、図１９は電波時計本体の概略断面図であり、図１９（ａ）はアンテナ７０の通常状態、（ｂ）は最上位傾斜状態をそれぞれ示す図である。電波時計本体が水平に載置されていない場合も同様に、アンテナ７０を傾斜動作させ、例えばコア軸線方向を最上位傾斜状態となる方向に傾ける際には、図１９（ｂ）に示すように、コア７１の図１９（ｂ）の右上端部Ｐ１が文字盤２１に接触して折り曲げられるとともに、左下端部Ｐ４がアンテナ７０下方の時計モジュールの下面等に接触して折り曲げられる。
【０１１８】
また、上記した実施形態では、圧電素子を用いたアクチュエータによりアンテナを傾斜動作又は回動動作させる場合について説明したが、ＭＥＭＳ（Micro Electro Mechanical Systems）型のアクチュエータや、形状記憶合金を用いたアクチュエータで用いても構わない。
【図面の簡単な説明】
【０１１９】
【図１】（ａ）は本発明の実施形態における電波時計本体の概略縦断面図、（ｂ）は本発明の実施形態における電波時計本体の概略横断面図。
【図２】本発明の第１実施形態におけるアンテナ姿勢調整機構の構成を説明するための図であり、（ａ）は文字盤を切り欠いてアンテナの周辺の内部構成を示した時計ケースの要部横断面図、（ｂ）はアンテナの周辺の内部構成を示した時計ケースの要部縦断面図。
【図３】本発明の第１実施形態におけるアンテナの傾斜動作について説明するための図であり、（ａ）は通常状態のアンテナ、（ｂ）は最上位傾斜状態のアンテナ、（ｃ）は最下位傾斜状態のアンテナを示す図。
【図４】本発明の第１実施形態における電波時計の機能構成の一例を示すブロック図。
【図５】本発明の第１実施形態における受信制御回路部の構成の一例を示すブロック図。
【図６】本発明の第１実施形態における第１時刻修正処理の流れを説明するためのフローチャート。
【図７】本発明の第１実施形態の変形例におけるサンプリングデータのデータ構成例を示す図。
【図８】本発明の第１実施形態の変形例における第２時刻修正処理の流れを説明するためのフローチャート。
【図９】本発明の第２実施形態におけるアンテナ姿勢調整機構の構成を説明するための図であり、（ａ）は文字盤を切り欠いてアンテナの周辺の内部構成を示した時計ケースの要部横断面図、（ｂ）はアンテナの周辺の内部構成を示した時計ケースの要部縦断面図。
【図１０】本発明の第２実施形態におけるアンテナの傾斜動作について説明するための図であり、（ａ）は通常状態のアンテナ、（ｂ）は最上位傾斜状態のアンテナ、（ｃ）は最下位傾斜状態のアンテナを示す図。
【図１１】本発明の第２実施形態におけるアンテナの回動動作について説明するための図であり、（ａ）は通常状態のアンテナ、（ｂ）は最左回動状態のアンテナ、（ｃ）は最右回動状態のアンテナを示す図。
【図１２】本発明の第２実施形態における電波時計の機能構成の一例を示すブロック図。
【図１３】本発明の第２実施形態における第３時刻修正処理の流れを説明するためのフローチャート。
【図１４】本発明の第２実施形態における第３時刻修正処理の流れを説明するためのフローチャート。
【図１５】本発明の第２実施形態の変形例におけるサンプリングデータのデータ構成例を示す図。
【図１６】本発明の第２実施形態の変形例における第４時刻修正処理の流れを説明するためのフローチャート。
【図１７】本発明の第２実施形態の変形例における第４時刻修正処理の流れを説明するためのフローチャート。
【図１８】本発明の変形例におけるアンテナの傾斜動作を説明するための図であり、（ａ）は通常状態のアンテナ、（ｂ）は最下位傾斜状態のアンテナ、（ｃ）は最上位傾斜状態のアンテナを示す図。
【図１９】本発明の変形例におけるアンテナの傾斜動作を説明するための図であり、（ａ）は通常状態のアンテナ、（ｂ）は最上位傾斜状態のアンテナを示す図。
【符号の説明】
【０１２０】
１００ａ    電波時計
３０        アンテナ
３１        コア
３３        巻線
１１０      ＣＰＵ
１２０ａ    アンテナ姿勢調整機構
１３０      受信制御回路部
１４０      発振回路部
１５０      計時回路部
１６０      入力部
１７０      表示部
１８０      ＲＡＭ
１８１      受信時刻格納領域
２００ａ    ＲＯＭ
２１０ａ    制御プログラム
２１１      第１時刻修正プログラム
２１３      タイムコード変換プログラム
２２０      受信規定レベル
【図１】
2007166001.tif 000003
【図２】
2007166001.tif 000004
【図３】
2007166001.tif 000005
【図４】
2007166001.tif 000006
【図５】
2007166001.tif 000007
【図６】
2007166001.tif 000008
【図７】
2007166001.tif 000009
【図８】
2007166001.tif 000010
【図９】
2007166001.tif 000011
【図１０】
2007166001.tif 000012
【図１１】
2007166001.tif 000013
【図１２】
2007166001.tif 000014
【図１３】
2007166001.tif 000015
【図１４】
2007166001.tif 000016
【図１５】
2007166001.tif 000017
【図１６】
2007166001.tif 000018
【図１７】
2007166001.tif 000019
【図１８】
2007166001.tif 000020
【図１９】
2007166001.tif 000021